(57)【要約】      （修正有）【課題】一対のファスナーエレメントの開きを抑制することができ、高い意匠性を維持し向上を図ることができるスライドファスナーを提供する。【解決手段】一対のファスナーテープ２１と一対のファスナーテープの対向するテープ側縁部を略Ｕ字状に折り返すことにより形成される折返し片２１ｂに取り付けられる一対のエレメント２２と一対のエレメントを互いに係合及び離脱させるスライダと一対のエレメントの表面に取り付けられる一対の被覆帯３０とを備える被覆帯付きスライドファスナー１０が一対の被覆帯が表側に配置されるように表皮シート４０に取り付けられる。又、スライドファスナー２０は一対のエレメントが表面に配置されるように表皮シートに取り付けられ一対の折返し片２１ｂは、テープ主体部２１ａから略Ｕ字状に折り返されてなり、一対のエレメントの幅方向外端部より内側の位置において、テープ主体部２１ａと表皮シートが縫い付けられる。【選択図】図２
2010259783.tif 000002
【特許請求の範囲】
【請求項１】
一対のファスナーテープ（２１）と、
前記一対のファスナーテープ（２１）の対向するテープ側縁部を略Ｕ字状に折り返すことにより形成される折返し片（２１ｂ）に取り付けられる一対のエレメント（２２）と、
前記一対のエレメント（２２）を互いに係合及び離脱させるスライダ（２３）と、を有するスライドファスナー（２０）において、
前記一対のエレメント（２２）の表面に取り付けられる一対の被覆帯（３０）を備え、
前記被覆帯（３０）が表側に配置されるように表皮材（４０）に取り付けられることを特徴とする被覆帯付きスライドファスナー（１０）。
【請求項２】
前記一対の折返し片（２１ｂ）は、テープ主体部（２１ａ）から略Ｕ字状に折り返されてなり、
前記一対のエレメント（２２）の幅方向外端部より内側の位置において、前記テープ主体部（２１ａ）と前記表皮材（４０）が縫い付けられることを特徴とする請求項１に記載の被覆帯付きスライドファスナー（１０）。
【請求項３】
一対のファスナーテープ（２１）と、
前記一対のファスナーテープ（２１）の対向するテープ側縁部を略Ｕ字状に折り返すことにより形成される折返し片（２１ｂ）に取り付けられる一対のエレメント（２２）と、
前記一対のエレメント（２２）を互いに係合及び離脱させるスライダ（２３）と、を有するスライドファスナー（２０）において、
前記スライドファスナー（２０）は、前記一対のエレメント（２２）が表面に配置されるように表皮材（４０）に取り付けられ、
前記一対の折返し片（２１ｂ）は、テープ主体部（２１ａ）から略Ｕ字状に折り返されてなり、
前記一対のエレメント（２２）の幅方向外端部より内側の位置において、前記テープ主体部（２１ａ）と前記表皮材（４０）が縫い付けられることを特徴とするスライドファスナー（２０）。
【発明の詳細な説明】
【技術分野】
【０００１】
本発明は、スライドファスナーに関し、より詳細には、エレメントが外部に露出し難く、且つ意匠性に優れた被覆帯付きスライドファスナーに関する。また、一対のファスナーエレメントの開きを抑制し、高い意匠性を維持するスライドファスナーに関する。
【背景技術】
【０００２】
自動車などのシートでは、シート骨格に予め組み付けられたウレタン樹脂の形状に沿って表皮シートが被せられている。そして、表皮シートを効率よく被せるため、表皮シートの背裏部分にスライドファスナーが使用される場合がある。また、スライドファスナーを用いることにより、表皮シートを脱着可能としたシートも知られている。
【０００３】
従来、このようなスライドファスナーが使用されるシートにおいては、隠しスライドファスナーを用いてエレメントを隠したり、スライドファスナーを裏使いしてエレメントを隠したりすることにより、表皮シートに一体感を持たせて、シートの意匠性の向上が図られていた（例えば、特許文献１参照）。また、ファスナーが使用されない部分、例えば、シームラインなどにパイピングを施したり、ステッチの方法を変えたりして、表皮シートの意匠性の向上が図られていた。
【０００４】
そして、近年、シート背面に設けられるポケットなどのユーティリティにおいては、スライドファスナーを積極的に見せることによって、従来にない意匠性の向上の試みがなされており、この場合、スライドファスナー自身に高い意匠性が求められる。スライドファスナーの意匠性を向上させるため、ファスナーテープにパイピングを施したり（例えば、特許文献２参照）、ファスナーテープ、エレメント、及び縫い糸の色を変えたりするなどの手段が考えられる。また、スライドファスナーにエレメント被覆帯を設けるようにしたスライドファスナーが開示されている（例えば、特許文献３参照）。
【先行技術文献】
【特許文献】
【０００５】
【特許文献１】実開昭５１−４９２１２号公報
【特許文献２】特開２００５−２９５号公報
【特許文献３】特開昭５９−２７７６５号公報
【発明の概要】
【発明が解決しようとする課題】
【０００６】
しかしながら、ファスナーテープにパイピングを施すには、追加の縫製作業が必要であり、製造コストが増加してしまい、また、ファスナーテープ、エレメント、及び縫い糸の色を変える場合、エレメントの色の変更が容易ではない。また、例え、エレメントの色を変更することができても、エレメントが見えること自体が問題となる可能性があった。また、上記特許文献３に記載のスライドファスナーは、ファスナーテープに対するエレメントの付着強度を高めて強固な係合状態が得られるようにすると共に、エレメントを保護するエレメント被覆帯のめくりあがりを防止して、スライダの作動の円滑化を図ったものであり、スライドファスナーの意匠性についての記載はなく、また、ファスナーテープに表皮シートを取り付けた時に、エレメントと表皮シートの一体感が少なく、意匠性の観点からは改善の余地があった。また、上記特許文献３に記載のスライドファスナーでは、平面状のファスナーテープにエレメントが縫着されているため、表皮シートに縫着された状態で、ファスナーテープが表皮シートと共にスライドファスナーの幅方向に引っ張られた場合、引っ張り力が一対のエレメントに直接作用して、一対のエレメントが開き易くなることがあった。さらに、ファスナーテープを表皮シートに縫い付ける縫い糸やファスナーテープが外部に露出してしまうので、意匠性が低下してしまう可能性があった。
【０００７】
本発明は、前述した事情に鑑みてなされたものであり、その目的は、意匠性の向上を図ることができる被覆帯付きスライドファスナーを提供することにある。また、一対のファスナーエレメントの開きを抑制することができ、高い意匠性を維持することができるスライドファスナーを提供することにある。
【課題を解決するための手段】
【０００８】
本発明の上記目的は、下記の構成により達成される。
（１）一対のファスナーテープと、一対のファスナーテープの対向するテープ側縁部を略Ｕ字状に折り返すことにより形成される折返し片に取り付けられる一対のエレメントと、一対のエレメントを互いに係合及び離脱させるスライダと、を有するスライドファスナーにおいて、一対のエレメントの表面に取り付けられる一対の被覆帯を備え、被覆帯が表側に配置されるように表皮材に取り付けられることを特徴とする被覆帯付きスライドファスナー。
（２）一対の折返し片は、テープ主体部から略Ｕ字状に折り返されてなり、一対のエレメントの幅方向外端部より内側の位置において、テープ主体部と表皮材が縫い付けられることを特徴とする（１）に記載の被覆帯付きスライドファスナー。
（３）一対のファスナーテープと、一対のファスナーテープの対向するテープ側縁部を略Ｕ字状に折り返すことにより形成される折返し片に取り付けられる一対のエレメントと、一対のエレメントを互いに係合及び離脱させるスライダと、を有するスライドファスナーにおいて、スライドファスナーは、一対のエレメントが表面に配置されるように表皮材に取り付けられ、一対の折返し片は、テープ主体部から略Ｕ字状に折り返されてなり、一対のエレメントの幅方向外端部より内側の位置において、テープ主体部と表皮材が縫い付けられることを特徴とするスライドファスナー。
【発明の効果】
【０００９】
本発明の被覆帯付きスライドファスナーによれば、一対のファスナーエレメントが表側に配置されるように表皮材に取り付けられるスライドファスナーと、一対のファスナーエレメントの表面に取り付けられる一対の被覆帯と、を備えるため、被覆帯によってファスナーエレメントを隠すことができるので、意匠性の向上を図ることができる。また、被覆帯が表皮材の表面からファスナーエレメントの高さ分だけ高い位置に配置されるので、従来にはない立体感のある装飾を施すことができ、ファスナー使用部分を綺麗に仕上げることができる。
【００１０】
また、パイピングなどの別部材を使用せずにスライドファスナー自身に意匠性を持たせることができるので、高い意匠性を有する被覆帯付きスライドファスナーを低コストで得ることができる。さらに、変更が容易な被覆帯を、例えば、材質、色、幅、模様などの異なるものに取り換えるだけで、多様なバリエーションのスライドファスナーを容易に得ることができるので、被覆帯付きスライドファスナーの意匠性を更に向上することができる。
【００１１】
また、本発明の被覆帯付きスライドファスナーによれば、一対のエレメントの幅方向外端部より内側の位置において、テープ主体部と表皮材が縫い付けられるため、表皮材に横方向（スライドファスナーの幅方向）の力が作用しても、一対のファスナーエレメントには互いを接近させる方向の力が生じるので、一対のファスナーエレメントの開きを抑制することができる。また、縫い糸やファスナーテープが外部から見え難くなるので、高い意匠性を維持することができる。
【００１２】
また、本発明のスライドファスナーによれば、スライドファスナーは、一対のエレメントが表面に配置されるように表皮材に取り付けられ、一対の折返し片は、テープ主体部から略Ｕ字状に折り返されてなり、一対のエレメントの幅方向外端部より内側の位置において、テープ主体部と表皮材が縫い付けられるため、表皮材に横方向（スライドファスナーの幅方向）の力が作用しても、一対のファスナーエレメントには互いを接近させる方向の力が生じるので、一対のファスナーエレメントの開きを抑制することができる。また、縫い糸やファスナーテープが外部から見え難くなるので、高い意匠性を維持することができる。
【図面の簡単な説明】
【００１３】
【図１】本発明に係る被覆帯付きスライドファスナーの一実施形態を説明するための平面図である。
【図２】図１に示す被覆帯付きスライドファスナーの断面斜視図である。
【図３】図１に示す被覆帯付きスライドファスナーの拡大断面図である。
【図４】被覆帯付きスライドファスナーの第１変形例を説明するための拡大断面図である。
【図５】被覆帯付きスライドファスナーの第２変形例を説明するための拡大断面図である。
【図６】被覆帯付きスライドファスナーが使用された長椅子の斜視図である。
【図７】図６に示すアームレストのシームラインの周辺の拡大断面斜視図である。
【図８】被覆帯付きスライドファスナーが使用された結束材の拡大断面斜視図である。
【発明を実施するための形態】
【００１４】
以下、本発明に係る被覆帯付きスライドファスナーの一実施形態について、図面を参照して詳細に説明する。
【００１５】
本実施形態の被覆帯付きスライドファスナー１０は、図１〜図３に示すように、一対のファスナーテープ２１と、一対のファスナーテープ２１に取り付けられる一対のファスナーエレメント２２と、一対のファスナーエレメント２２を互いに係合及び離脱させるスライダ２３と、を有する隠しスライドファスナー２０と、一対のファスナーエレメント２２の表面（上面）に取り付けられる一対の被覆帯３０と、を備える。なお、図２中の符号１１は、スライドファスナー１０が使用される長椅子などの発泡ウレタンなどのクッション材である。
【００１６】
また、一対のファスナーテープ２１は、テープ主体部２１ａと、テープ主体部２１ａから延在し、一対のファスナーテープ２１の対向するテープ側縁部を略Ｕ字状に折り返すことにより形成される折返し片２１ｂと、を有し、折返し片２１ｂの先端にはエレメント取付け部２１ｃが設けられている。そして、エレメント取付け部２１ｃのうちテープ主体部２１ａと対向する面とは逆側にある面にファスナーエレメント２２が取り付けられる。
【００１７】
ファスナーエレメント２２は、ポリアミドやポリエステルなどの合成樹脂製モノフィラメントによって螺旋状に形成されるコイルエレメントであり、各コイルの一部は、対向するファスナーエレメント２２と噛み合わされる直線状に配された噛合頭部２２ａと、噛合頭部２２ａの上下からほぼ水平に延びる上脚部２２ｂ及び下脚部２２ｃと、上下脚部２２ｂ，２２ｃと隣接する上下脚部２２ｂ，２２ｃを連結する連結部２２ｄと、から構成される。ここで、本実施形態では、ファスナーエレメント２２のうち、エレメント取付け部２１ｃと隣接する側の脚部を下脚部２２ｃ、エレメント取付け部２１ｃと離間する側の脚部を上脚部２２ｂとする。そして、ファスナーエレメント２２は、その内部に芯紐２４が挿通され、二重環縫いされる縫い糸２５によってファスナーテープ２１の折返し片２１ｂに縫い付けられる。
【００１８】
被覆帯３０は、例えば、織物、編物、不織布、樹脂、合皮、革などによって、ファスナーエレメント２２の幅と略同じ幅を有する帯状体に形成される。そして、被覆帯３０は、各エレメント列２２ｅの上脚部２２ｂに沿って配置され、本実施形態では、上記縫い糸２５によってファスナーエレメント２２と共にファスナーテープ２１の折返し片２１ｂに縫い付けられる。これにより、被覆帯３０をファスナーエレメント２２に取り付けるための専用工程を設けること必要がないので、スライドファスナー１０の製造コストの増加を抑制することができる。
【００１９】
また、本実施形態では、図２及び図３に示すように、ファスナーテープ２１の折返し片２１ｂの内側、即ち、テープ主体部２１ａとエレメント取付け部２１ｃとの間のスペースに、同じく略Ｕ字状に折り返された表皮シート（表皮材）４０の縁端部が挟み込まれ、この表皮シート４０の縁端部である折返し片４０ａとテープ主体部２１ａが縫い糸４１によって縫い付けられる。これにより、被覆帯付きスライドファスナー１０は、表皮シート４０の表面とファスナーエレメント２２の被覆帯３０が取り付けられた面とが同一面に配置されるように表皮シート４０に縫い付けられる。ここで、ファスナーエレメント２２は表皮シート４０の表面よりも更に外側へ表出した状態となっている。なお、図２中の符号４２は表シート、４３はバッキング材である。
【００２０】
また、本実施形態では、図３に示すように、表皮シート４０は、テープ主体部２１ａのうちファスナーエレメント２２の連結部２２ｄより内側の位置、より具体的には、ファスナーエレメント２２の連結部２２ｄよりもテープ折り返し側の位置において縫い付けられる。
【００２１】
以上説明したように、本実施形態の被覆帯付きスライドファスナー１０によれば、一対のファスナーエレメント２２が表側に配置されるように表皮シート４０に取り付けられる隠しスライドファスナー２０と、一対のファスナーエレメント２２の表面に取り付けられる一対の被覆帯３０と、を備えるため、被覆帯３０によってファスナーエレメント２２を隠すことができるので、意匠性の向上を図ることができる。また、被覆帯３０が表皮シート４０の表面からファスナーエレメント２２の高さ分だけ高い位置に配置されるので、従来にはない立体感のある装飾を施すことができ、ファスナー使用部分を綺麗に仕上げることができる。
【００２２】
また、パイピングなどの別部材を使用せずにスライドファスナー１０自身に意匠性を持たせることができるので、高い意匠性を有する被覆帯付きスライドファスナー１０を低コストで得ることができる。さらに、変更が容易な被覆帯３０を、例えば、材質、色、幅、模様などの異なるものに取り換えるだけで、多様なバリエーションのスライドファスナー１０を容易に得ることができるので、被覆帯付きスライドファスナー１０の意匠性を更に向上することができる。
【００２３】
また、本実施形態の被覆帯付きスライドファスナー１０によれば、一対のファスナーエレメント２２の幅方向外端部より内側の位置において、テープ主体部２１ａと表皮シート４０が縫い付けられるため、表皮シート４０に横方向（スライドファスナー１０の幅方向）の力が作用しても、一対のファスナーエレメント２２には互いを接近させる方向の力が生じるので、一対のファスナーエレメント２２の開きを抑制することができる。また、縫い糸４１やファスナーテープ２１が外部から見え難くなるので、高い意匠性を維持することができる。
【００２４】
なお、本実施形態の第１変形例として、図４に示すように、ファスナーテープ２１のエレメント取付け部２１ｃに縫い付けられたファスナーエレメント２２の表面に被覆帯３０を接着剤５０によって固定するようにしてもよい。この場合、完成品である隠しスライドファスナー２０のファスナーエレメント２２に接着剤５０によって被覆帯３０を固定するため、被覆帯３０の変更が容易であり、顧客の要望に応じて多様なバリエーションに容易に対応することができる。なお、接着剤５０は接着シートなどであってもよい。
【００２５】
また、本実施形態の第２変形例として、図５に示すように、被覆帯３０をファスナーエレメント２２の上脚部２２ｂ及び連結部２２ｄの少なくとも一部を覆う幅に形成し、この被覆帯３０をファスナーテープ２１のエレメント取付け部２１ｃに縫い付けられたファスナーエレメント２２の上脚部２２ｂ及び連結部２２ｄに接着剤５０によって固定するようにしてもよい。この場合、ファスナーエレメント２２の上脚部２２ｂ及び連結部２２ｄの少なくとも一部が被覆帯３０により覆われ、ファスナーエレメント２２が外部から見え難くなるので、被覆帯付きスライドファスナー１０の意匠性を更に向上することができる。
【００２６】
次に、図６〜図８を参照して、本実施形態の被覆帯付きスライドファスナー１０の使用例について説明する。
【００２７】
まず、図６及び図７を参照して、本実施形態の被覆帯付きスライドファスナー１０を長椅子６０のアームレスト６１のシームライン６２に使用した例について説明する。
【００２８】
長椅子６０は、アームレスト６１を覆う表皮シート４０の縁部に被覆帯付きスライドファスナー１０が縫い付けられており、この被覆帯付きスライドファスナー１０を閉じることにより、アームレスト６１のシームライン６２には、一対の被覆帯３０により縁取られた１本のライン状の装飾が施される。
【００２９】
そして、被覆帯３０は、その色や材質を表皮シート４０と同じにすることにより、長椅子６０の全体に一体感を持たせることができ、また、その色や材質を表皮シート４０と異ならせることにより、長椅子６０に任意の装飾を施すことができる。
【００３０】
次に、図８を参照して、本実施形態の被覆帯付きスライドファスナー１０をコード類などを束ねる結束材７０に使用した例について説明する。
【００３１】
結束材７０は、表皮シート４０により複数（本例では７本）のコード７１を束ねるものであり、１枚の表皮シート４０の縁部に被覆帯付きスライドファスナー１０が縫い付けられている。そして、表皮シート４０の内側に複数のコード７１を包み込みながら被覆帯付きスライドファスナー１０を閉じることにより、複数のコード７１が表皮シート４０により束ねられると共に、円筒状となった表皮シート４０の側面には、一対の被覆帯３０により形成された１本のライン状の装飾が施される。
【００３２】
そして、被覆帯３０は、その色や材質を表皮シート４０と同じにすることにより、結束材７０の全体に一体感を持たせることができ、また、その色や材質を表皮シート４０と異ならせることにより、結束材７０に任意の装飾を施すことができる。
【００３３】
なお、本発明は、上記実施形態に例示したものに限定されるものではなく、本発明の要旨を逸脱しない範囲において適宜変更可能である。
【符号の説明】
【００３４】
１０    被覆帯付きスライドファスナー
２０    隠しスライドファスナー
２１    ファスナーテープ
２１ａ  テープ主体部
２１ｂ  折返し片
２２    ファスナーエレメント（エレメント）
２３    スライダ
３０    被覆帯
４０    表皮シート（表皮材）
【図１】
2010259783.tif 000003
【図２】
2010259783.tif 000004
【図３】
2010259783.tif 000005
【図４】
2010259783.tif 000006
【図５】
2010259783.tif 000007
【図６】
2010259783.tif 000008
【図７】
2010259783.tif 000009
【図８】
2010259783.tif 000010